(57)【要約】【課題】  洗濯機排水トラップにおいて、排水を受けるワンをロックナットと連動して受け枠から脱着できる構造を持たす。また、ロックナットの締込み不良を防ぐ機能を持ち、さらに、細部にわたる清掃が容易に出来る構造とする【解決手段】  受け枠にねじ式に装着されるロックナットにおいて、排水を受けるワンと一体型の構造を持たせる、あるいは、ロックナット自体にワンを受ける枠の構造を持たせる。また、ロックナットの締込み不良を防ぐために、ロックナットにラチェット機構を備え、細部にわたる清掃が容易なように、ワンの先端部が脱着出来る構造を持つことを特徴とする。【選択図】図１
2009299448.tif 000002
【特許請求の範囲】
【請求項１】
床と配水管に固定される開口部を持つ受け枠と、排水を受けるコップの形状をしたワンと、前記受け枠にねじ式に装着固定される、リング形状をしたロックナットと、前記ロックナットにて、受け枠に装着固定されるゴムエルボによって構成される洗濯機排水トラップにおいて、前記ロックナットが排水を受けるワンと連動して、前記の受け枠から脱着可能とする為に、前記ロックナットがワンを受ける枠の構造を持ち、あるいは、前記ロックナットがワンと一体型の構造を持つことを特徴とし、さらに、前記ロックナットが、洗濯機の排水ホースを接続するゴムエルボを固定するロックナットを受ける枠の構造を持つことを特徴とするロックナット（以下、ロックナット枠と称す）を備える洗濯機排水トラップ。
【請求項２】
請求項１に記載のロックナット枠に装着されるワンにおいて、あるいは、請求項１に記載のロックナット枠と一体型となったワンにおいて、前記のワンの先端部がねじ式に脱着可能な構造を持ち、また、前記のワンの先端部につまみを設けたことを、特徴とする洗濯機排水トラップ
【請求項３】
請求項１及び請求項２に記載のロックナット枠及びゴムエルボを固定するロックナットにおいて、前記ロックナット枠及び前記ロックナットにラチェット機構を備えることにより、前記ロックナット枠及び前記ロックナットの締め込み不良を防ぐ機能を持つことを特徴とする洗濯機排水トラップ。
【発明の詳細な説明】
【技術分野】
【０００１】  本発明は洗濯機排水トラップのワンが容易に脱着出来、また容易に清掃が出来る洗濯機排水トラップに関する。
【背景技術】
【０００２】  従来、洗濯機排水トラップは、下水の悪臭が上がってくる事を防ぎ、虫の侵入を防ぐ為にトラップ構造をとっている。しかし、トラップ構造をとっていることにより排水通路が比較的に狭くなる為、リント等の異物が詰まり易い構造になっている。
リント等の異物が一定以上詰まると、洗濯機からの排水に支障をきたし、洗濯機の動作行程に影響を及ぼすが、リント等の異物がワンの部分に充分に詰まってしまった場合、ワンの脱着は容易に出来なくなり、困難になることが多くなる。
【発明の開示】
【発明が解決しようとする課題】
【０００３】  従来、洗濯機排水トラップにおいて、リント等の異物が詰まって、排水不良を起こしてしまった場合、リント等の異物を除去するために、ワンを引き上げようとしても、詰まったリント等の異物が隙間を塞いでいるために、受け枠から容易に引き上げられない状況である。
【課題を解決するための手段】
【０００４】  本発明は、上記の課題を解決するために、以下の解決手段を取る。すなわち、請求項１に記載のごとく、受け枠にねじ式に装着されるロックナット枠がワンと一体型の構造となっている。若しくは、ワンを受ける構造と為っている為にロックナット枠と連動させてワンを受け枠から、引き出せることが可能である。【０００５】  請求項２に記載の如く、ロックナット枠に装着されるワンの先端部を容易に脱着できる構造とする。【０００６】  請求項３に記載の如く、ロックナット枠及びロックナット内にラチェット機構を持たせ、ロックナット枠及びロックナットの締め込み不良による水漏れ防止を図る。
【発明の効果】
【０００７】  請求項１に記載の如く、ワンとロックナット枠が一体型となっている構造あるいは、ロックナット枠がワンを受ける構造となっているので、ワンの中にリント等の異物が一杯に詰まった状態でも、ワンの脱着はロックナット枠を受け枠より緩めて外し、引き上げれば容易に出来る。【０００８】  請求項２に記載の如く、ロックナット枠に装着されるワンの先端部が容易に脱着できる構造となっているので、ワンの内部を細部にわたって清掃でき、清潔にすることが出来る。【０００９】  請求項３に記載の如く、ロックナット枠及びロックナット内部にラチェット機構をもたせているので、ロックナット枠を受け枠に装着する場合、及び、ロックナットをロックナット枠に装着する場合に、締込み不良を未然に防ぐことが出来、締込み不良による排水漏れを予防できる。【００１０】請求項１から請求項３に記載の洗濯機排水トラップは、ロックナット枠のねじの規格が既設の受け枠のねじの規格に適合すれば取り付けすることが出来、既設の洗濯機排水トラップの機能を改善することが可能である。また、ロックナット枠のねじの規格を既設の受け枠のねじの規格に適合するものを用意することにより、既設の洗濯機排水トラップの機能を改善することが可能となる。
【発明を実施するための最良の形態】
【００１１】  以下、本発明の形態を図面に基づき説明する。【００１２】  図１は本発明の洗濯機排水トラップが、床１及び排水管２に装着されている形態を示す。床１及び排水管２に固定される受け枠３に、ねじ式に装着されるロックナット枠４。前記ロックナット枠４にねじ式に装着されるロックナット５。ゴムエルボ６はロックナット５により、ロックナット枠４に嵌着固定される。【００１３】  図２は本発明の洗濯機排水トラップの分解図である。ロックナット枠とワンが一体型となった（ａ）の形状の場合、ロックナット枠４にワンの先端部４１ａを装着し、受け枠３に挿入してねじ式に固定する。受け枠３にロックナット枠４が装着されている状態で、ロックナット５を装着したゴムエルボ６を前記ロックナット枠４に挿入し、ロックナット５にて、ねじ式にロックナット枠４に固定する。【００１４】  図２でロックナット枠とワンが分離している（ｂ）の形状の場合。
ワン４１にワンの先端部４１ａを装着し、前記ワン４１をロックナット枠４に挿入する。
ワン４１が装着されたロックナット枠４を受け枠３に装着し、ねじ式に固定する。
受け枠３にロックナット枠が装着固定されている状態で、ロックナット５を装着したゴムエルボ６を前記ロックナット枠４に挿入し、ロックナット５にて、ねじ式にロックナット枠４に固定する。【００１５】  図２より、糸くず等の異物が洗濯機排水トラップ内に溜まり、排水不良になった場合ロックナット５をロックナット枠４よりねじ式に緩めて外し、さらにロックナット枠４を受け枠３よりねじ式に緩めて外す。（ａ）の場合は、ロックナット枠と一体型となったワン４１の先端部４１ａ外せば、ワンの中の異物を容易に除去できる。（ｂ）の場合は、ロックナット枠４より、ワン４１を外しさらに、ワンの先端部４１ａを外せば、ワンの中の異物を容易に除去出来る。【００１６】  図３で、ロックナット枠４のラチェット機構の構成について説明する。
ハンドル４ａは軸４ｅを中心として回動する。ハンドル４ａの動きがツメ４ｂを介して歯車４ｃに伝えられ、結果、軸４ｅの一部である歯車４ｃが回動するのと同時に軸４ｅも回動する。（図９参照）【００１７】  ハンドル４ａの回動で、軸４ｅが充分に締め込まれた状況で、さらにハンドル４ａに「しめる」方向に回転の力が加えられた場合、軸４ｅはもはや回動しないので、軸４ｅの一部である歯車４ｃも回動しない。ハンドル４ａの「しめる」方向への回転の動力はツメ４ｂに伝達されるが、ツメ４ｂから歯車４ｃに加えられる力よりも、歯車４ｃの回転に対する抵抗力のほうが大きいので、ツメ４ｂは歯車４ｃの上面をハンドル４ａの回転方向へとすべり、隣接する次の歯車の面へと移動する。
ツメ４ｂが連続して歯車４ｃの面上を滑り、歯車４ｃの面上を移動していく、いわゆる、空回り状態になることで、軸４ｅを過度に締め付けることを防止している。（図１０参照）【００１８】  ハンドル４ａに「はずす」方向に、回転する力が加えられた場合。
ハンドル４ａからツメ４ｂにその力が伝達され、ツメ４ｂから歯車４ｃのツメに対しての垂直面に「はずす」方向への回転する力が加えられる。その結果、歯車４ｃが「はずす」方向へと回動し、従って軸４ｅも「はずす」方向に一体となって回動し、ロックナット枠４全体が「はずす」方向に回動して、受け枠３から外すことが出来る。（図１１参照）【００１９】  図６はロックナット５の上面（断面）図であり、図７はロックナット５の断面図である。図８はロックナット５の側面図を示す。ロックナット５のラチェット機構についての説明は、前述のロックナット枠４と同じなので省略する。
【図面の簡単な説明】
【００２０】
【図１】洗濯機排水トラップの実施図
【図２】洗濯機排水トラップの主要部品を示す分解図
【図３】ロックナット枠の上面図（一部ラチェット機構を示す断面図）
【図４】ロックナット枠の断面図
【図５】ロックナット枠の側面図
【図６】ロックナットの上面図（一部ラチェット機構を示す断面図）
【図７】ロックナットの断面図
【図８】ロックナットの側面図
2009299448.tif 000003
【符号の説明】
【００２１】  ３      受け枠
４      ロックナット枠
４１    ワン
４１ａ  脱着出来るワンの先端部
４ａ    ハンドル
４ｂ    ツメ
４ｃ    歯車
４ｄ    ハンドル止め
４ｅ    軸
５      ロックナット
６      ゴムエルボ
【図１】
2009299448.tif 000004
【図２】
2009299448.tif 000005
【図３】
2009299448.tif 000006
【図４】
2009299448.tif 000007
【図５】
2009299448.tif 000008
【図６】
2009299448.tif 000009
【図７】
2009299448.tif 000010
【図８】
2009299448.tif 000011
【図９】
2009299448.tif 000012
【図１０】
2009299448.tif 000013
【図１１】
2009299448.tif 000014